(57)【特許請求の範囲】
【請求項１】
ホルダ本体に取りつけられルーバーの手前側端部に係合する部分を有した保持具本体と、該保持具本体に対してスライド移動可能で先端にルーバーの奥側端部と係合する爪部を有し、且つ両側面に鋸歯状に連続する歯部が設けられた可動係止片と、前記爪部が保持具本体に近づくように引っ張るスプリングと、前記可動係止片の可動方向に対して垂直な方向にスライドし、且つ前記可動係止片の歯部に係合して前記保持具本体に対して可動係止片が移動できないように固定可能なストッパとを有した保持具を備えたことを特徴とする車載用ドリンクホルダ。
【請求項２】
保持具は爪部が上向きの状態又は爪部が下向きの状態でホルダ本体に取りつけられていることを特徴とする請求項１記載の車載用ドリンクホルダ。
【発明の詳細な説明】
【０００１】
【発明の属する技術分野】
本発明は、自動車のエアコン吹出口のルーバーに装着可能な車載用ドリンクホルダに関するものである。
【０００２】
【従来の技術】
缶やカップに入れられた飲料を保持しつつカーエアコンから吹き出される冷風又は温風を利用して保温するドリンクホルダが普及している。これらはエアコン吹出口のルーバーに装着され、保持したドリンク缶等にエアコンの風が当たるようにしている。
【０００３】
ルーバーへの装着方法としてはドリンクホルダの背面に設けられた金属製のクリップでルーバーをくわえ込むタイプのものが一般的であるが、このタイプはルーバーに傷をつけやすい。また、ルーバーの幅は各種あるために、１種のクリップで多種の幅の異なるルーバーに対応することは困難であり、取付のガタツキを招いていた。
【０００４】
複数類のクリップを用意しておき、ルーバーの幅に合ったクリップを選択してドリンクホルダに取り付けるタイプのものも存在するが、事実上全てのルーバー幅に対応するための多数のクリップを用意することができず最大公約数的な２種類又は多くても３種類のクリップから選択せねばならず、ガタツキを完全に解消させることはできない。他にも、クリップをつけ替える手間がかかる、使わないクリップが無駄になる等の問題もある。
【０００５】
そこで、１種類で多種のルーバー幅に適応できるような調節機能付きの係止部材が各種考案されているが、ルーバー幅に合わせてルーバー保持部の長さが無段階に調整でき、ルーバーに傷を付けにくいものとして実開平6-53287号に提案されているホルダがある。
【０００６】
このホルダはルーバーの奥端に引っかける上向きの爪部とホルダの背面部との間でルーバー保持部を形成し、バネで常に爪部をホルダに引き込むように力を加えているので、ルーバーの幅にかかわらずルーバーの前後端を保持することができるものである。
【０００７】
しかしながらホルダを装着する際にも、爪部はホルダ側に引っ張られているため、爪部をルーバーに掛けにくい。
【０００８】
ホルダを装着中はホルダを手前に引っ張れば当然ホルダ背面と爪部との間隔が開いて保持部がルーバーから外れやすい。したがってドリンク缶を取るとき等にホルダが不測に外れてしまうおそれもある。
【０００９】
また、取り外す際にも爪部はホルダ側に常に引っ張られているためルーバー奥端から外しにくい。
【００１０】
更に、取り付けるべきルーバーの角度によっては上向きの爪部ではルーバーの奥側の端に引っかけにくいことがある。
【００１１】
尚、実開平6-53287号にはバネの代わりにネジとナットによりルーバー保持部の長さを調整する実施例もあるが、これは狭いホルダ内に指を入れてナットを回す必要があり、バネを使った場合に比べて着脱，調節が困難である。
【００１２】
【発明が解決しようとする課題】
そこで、ルーバーへ装着して用いるドリンクホルダにおいて、ルーバーの幅にかかわらずガタツキなく容易に装着でき、装着中は引っ張られても外れにくく、取り外し時には容易に取り外しできるものを提供することが課題となる。
【００１３】
【課題を解決するための手段】
本発明の車載用ドリンクホルダは、ホルダ本体(5)に取りつけられルーバー(8)の手前側端部に係合する部分(14)を有した保持具本体(2)と、該保持具本体(2)に対してスライド移動可能で先端にルーバー(8)の奥側端部と係合する爪部(12)を有し、且つ両側面に鋸歯状に連続する歯部(11)が設けられた可動係止片(1)と、前記爪部(12)が保持具本体(2)に近づくように引っ張るスプリング(4)と、前記可動係止片(1)の可動方向に対して垂直な方向にスライドし、且つ前記可動係止片(1)の歯部(11)に係合して前記保持具本体(2)に対して可動係止片(1)が移動できないように固定可能なストッパ(3)とを有した保持具を備えたことを特徴とする。
【００１４】
更には上記の車載用ドリンクホルダにおいて、保持具は爪部(12)が上向きの状態又は爪部(12)が下向きの状態でホルダ本体(5)に取りつけられていることを特徴とする。
【００１５】
【発明の実施の形態】
以下、本発明を好適な実施例を用いて説明する。
図１は実施例のドリンクホルダを斜め上方から見た斜視図であり、図２は同じドリンクホルダを斜め下方から見た斜視図である。又、図３はドリンクホルダのルーバーへの装着状態を示す一部切欠側面図である。
【００１６】
図中において、(5)はホルダ本体であり、ドリンク缶(10)を保持する開口部を有している。(9)はアダプターであり、開口部側にスライドして突出することにより、ドリンク缶(10)が細い場合でもガタツクことなく保持することができる。(6)はホルダの保持具取付部であり、端部に保持具取付溝(15)を有している。
【００１７】
ルーバー(8)にホルダを取り付けるための保持具は、保持具本体(2)，可動係止片(1)，ストッパ(3)，スプリング(4)の４つの部材より構成されている。図４に保持部の一部拡大斜視図を示す。
【００１８】
保持具本体(2)にはストッパ(3)が貫通して差し込まれている。ストッパ(3)は開口部(16)を有しており、この開口部(16)を貫通するように可動係止片(1)が取り付けられている。
【００１９】
可動係止片(1)の先端部にはルーバー(8)の奥側の端部を引っかけるための爪部(12)が備えられている。可動係止片(1)の他端にはスプリング抜止部(13)が形成されており、保持具本体(2)とスプリング抜止部(13)との間にはコイルスプリング(4)が配されている。これにより、スプリング(4)は常に可動係止片(1)の爪部(12)を、保持具本体(2)に近づけるように働く。
【００２０】
(14)は保持具本体(2)に設けられたルーバー手前側係止片であり、爪部(12)との間でルーバー(8)を挟持することができる。
【００２１】
ストッパ(3)は可動係止片(1)の可動方向に対して垂直な方向にスライドすることができる。(18)及び(19)はストッパ(3)に設けられたストッパ固定溝であり、保持具本体(2)の内側に設けられたストッパ固定突起(20)と係合してストッパ(3)の位置を固定する。図４に示したストッパ固定溝(19)とストッパ固定突起(20)とが係合した状態は、ストッパ(3)により可動係止片(1)を固定した状態（ストッパ(3)がＯＮの状態）であり、ストッパ固定溝(18)とストッパ固定突起(20)とが係合すると、可動係止片(1)が移動可能な状態（ストッパ(3)がＯＦＦの状態）となる。
【００２２】
図９はストッパが外れた（ＯＦＦの）状態を説明する断面図であり、図１０はストッパが掛かった（ＯＮの）状態を説明する断面図である。
(11)は可動係止片(1)の両側面に設けられた歯部であり、図１０のように「ストッパＯＮ」の状態では、ストッパ(3)の歯部係止片(17)と噛み合って可動係止片(1)が動くのを妨げる。一方、図９のように「ストッパＯＦＦ」の状態では歯部係止片(17)は歯部(11)と噛み合わず、可動係止片(1)の動きを妨げない。
【００２３】
このように、可動係止片(1)はストッパＯＦＦ時はスプリング(4)により爪部(12)が保持具本体(2)に近づくような力を受けるものの動くことができ、ストッパＯＮ時には動くことができなくなる。
【００２４】
(21)は保持具本体(2)をホルダの保持具取付溝(15)に係合させる取付溝である。保持具取付溝(15)には一部幅の広い箇所があり、その部分からはめ入れて装着することができる。その際、爪部(12)が上向きになるように装着しても良いし、下向きになるように装着しても良い。どちらにするかはルーバー(8)の角度等を考慮して適宜決めれば良い。
【００２５】
次に、このホルダをルーバ(8)に装着してから、取り外すまでの状態を説明する。
［装着時］
装着方法は種々考えられるが、一般的に容易であると考えられる方法を紹介する。
【００２６】
最初はスプリング(4)の働きにより、「ストッパＯＦＦ」の状態では可動係止片(1)の突出量が少なく、爪部(12)は最も保持具本体(2)に近づいた状態にある。図５はこの可動係止片(1)の突出量が少ない状態の保持部の一部断面平面図であり、図６は同じ状態の一部断面側面図である。
【００２７】
まず、保持具本体(2)から可動係止片(1)が大きく突出した状態（爪部(12)が保持具基部(2)から離れた状態）にする。そのためには、「ストッパＯＦＦ」の状態で爪部(12)の近傍を掴んで引っ張り出してもよいし、ホルダ(5)本体の開口部内に指を差し入れスプリング抜止部(13)を押して押し出させても良い。
【００２８】
アダプター(9)はホルダ本体(5)の開口部に向けてスライドできる他に、開閉も可能な構造となっており、保持具取付部(6)側の１辺を軸として上方９０°程度開くことができる。よって、スプリング抜止部(13)を押す際にはアダプター(9)を開けると押しやすい。
【００２９】
保持具本体(2)から可動係止片(1)が大きく突出した状態で、ストッパ(3)をスライドさせて「ストッパＯＮ」とし、可動係止片(1)を固定する。実施例は２つの保持具を有しているので、２つともこの状態にする。
【００３０】
次いで、この状態で保持具をルーバー(8)の間に差し入れ、爪部(12)をルーバー(8)の奥の端部に引っかける。可動係止片(1)はストッパ(3)により固定されているので、爪部(12)をルーバー(8)の奥の端部に引っかけるのは容易である。
【００３１】
その後、ストッパ(3)をスライドさせて「ストッパＯＦＦ」とすると、スプリングの力により保持具本体(2)が爪部(12)側に近づき、ルーバー(8)の手前側がルーバー手前側係止片(14)と当接して引っかかる。すなわち、爪部(12)とルーバー手前側係止片(14)により、ルーバー(8)を手前と奥の両方から挟み込むように係止することになる。
【００３２】
この状態で再びストッパ(3)をスライドさせて「ストッパＯＮ」とすると、保持具でルーバー(8)を手前と奥から挟み込んだ状態が維持され、装着が完了する。図７はこの状態の保持部の一部断面側面図であり、図８はこの状態の保持部の一部断面平面図である。
【００３３】
取付手順は問わないので、先に保持具をルーバー(8)に取り付けてから、保持具とホルダ本体(5)を接続する等しても良いし、最初に「ストッパＯＮ」にすることなくストッパを指で可動係止片(1)が大きく突出した状態を維持するようにしても良い。
【００３４】
尚、(7)はホルダ本体(5)から後方（ダッシュボード側）にスライド可能な取付調整用当接片である。ダッシュボードの形状や、ルーバー(8)の奥行き等によってはホルダ装着後にホルダ本体(5)とダッシュボードとが接触しないことがあり、この場合はホルダは保持具のみで支持されることになり、重いドリンク缶を保持させたような場合には、ホルダ本体(5)がぐらついて若干不安定になることがある。そのような場合に、この取付調整用当接片(7)をスライドさせてダッシュボードと当接させることにより取付を安定させることができる。
【００３５】
［装着中］
ドリンク缶(10)を置くとき等にホルダが手前に引っ張られても、「ストッパＯＮ」になっているため爪部(12)とルーバー手前側係止片(14)との距離は変化せず、ホルダはルーバー(8)から外れてしまうことはない。
【００３６】
［取り外し時］
取り外し時には、装着時と逆の操作をすればよい。すなわち「ストッパＯＦＦ」として、ルーバー手前側係止片(14)と爪部(12)とが離れるように可動係止片(1)をスプリング(4)に抗して保持具本体(2)から突出させる。このとき、ホルダ本体(5)の内側に指を差し入れてスプリング抜止部(13)を押すようにしてもよいが、ホルダ本体(5)を掴んで手前に引っ張れば容易に可動係止片(1)を保持具本体(2)から突出させることができる。
【００３７】
可動係止片(1)が保持具本体(2)から十分に突出した状態でストッパ(3)をスライドさせて「ストッパＯＮ」にする。これにより、爪部(12)とルーバー手前側係止片(14)との間隔はルーバー(8)の幅より十分大きい状態で維持される。
【００３８】
次に爪部(12)をルーバー(8)の奥側の端から外し、可動係止片(1)をルーバー(8)の間から抜き取るようにしてホルダをルーバー(8)から取り外す。可動係止片(1)は突出した状態で固定されているために（従来のように常に爪部(12)がホルダ側に引っ張られているわけではないので）、爪部(12)のルーバー(8)からの取り外しは容易である。
【００３９】
【発明の効果】
以上述べたように、本発明によりルーバーへ装着して用いるドリンクホルダにおいて、ルーバーの幅にかかわらずガタツキなく容易に装着でき、装着中は引っ張られても外れにくく、取り外し時には容易に取り外しできるものを提供することができる。
【図面の簡単な説明】
【図１】ドリンクホルダを斜め上方から見た斜視図。
【図２】ドリンクホルダを斜め下方から見た斜視図。
【図３】ドリンクホルダのルーバーへの装着状態を示す一部切欠側面図。
【図４】保持具の一部拡大斜視図。
【図５】爪部が大きく突出した状態の保持具の一部断面平面図。
【図６】爪部が大きく突出した状態の保持具の一部断面側面図。
【図７】ルーバーを挟み込んだ状態の保持部の一部断面側面図。
【図８】ルーバーを挟み込んだ状態の保持部の一部断面平面図。
【図９】ストッパが外れた状態（ストッパＯＦＦ時）を説明する断面図。
【図１０】ストッパが掛かった状態（ストッパＯＮ時）を説明する断面図。
【符号の説明】
(1) 保持具の可動係止片
(2) 保持具本体
(3) ストッパ
(4) スプリング
(5) ホルダ本体
(6) 保持具取付部
(7) 取付調整用当接片
(8) エアコン吹き出し口のルーバー
(9) アダプター
(10) ドリンク缶
(11) 歯部
(12) 爪部
(13) スプリング抜止部
(14) ルーバー手前側係止片
(15) 保持具取付溝
(16) ストッパの開口部
(17) 歯部係止片
(18) ストッパ固定溝（ストッパＯＦＦ時用）
(19) ストッパ固定溝（ストッパＯＮ時用）
(20) ストッパ固定突起
(21) 保持具の本体への取付溝
【図１】
0003732913.tif 000002
【図２】
0003732913.tif 000003
【図３】
0003732913.tif 000004
【図４】
0003732913.tif 000005
【図５】
0003732913.tif 000006
【図６】
0003732913.tif 000007
【図７】
0003732913.tif 000008
【図８】
0003732913.tif 000009
【図９】
0003732913.tif 000010
【図１０】
0003732913.tif 000011